【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
複数の送信アンテナを有するマルチキャリア伝送方式の送信機において，
情報ビット系列を誤り訂正符号化して符号化ビットを生成する誤り訂正符号器と，
前記符号化ビットを変調信号にマッピングする信号点マッピング器と，
複数の前記変調信号に対してそれぞれ直交するように位相パターンを用いて位相回転を施すサブキャリア位相ホッピング器と，
前記サブキャリア位相ホッピング器に対して，前記位相回転をパターン化し，複数の位相パターン候補のうち送信信号波形のピークを抑える位相パターンを選択する位相パターン制御器と，
を備えることを特徴とする送信機．
【請求項２】
前記位相パターン制御器は，
前記符号化ビットおよび前記位相パターン候補から求められる送信信号波形のピークを検出するピーク検出器と，
該ピークのうち最もピークが低い位相パターンを選択するパターン選択器と，
を備えることを特徴とする請求項１に記載の送信機．
【請求項３】
前記位相パターン制御器は，
前記符号化ビットから前記変調信号に対応した量子化位相を生成する量子化変調器と，
該量子化位相に対して各位相パターンに応じた量子化された位相回転を施す量子化サブキャリア位相ホッピング器と，
位相ホッピング後の量子化位相に対して量子化された逆フーリエ変換により時間信号波形の電力値の指標を計算する量子化逆フーリエ変換器と，
をさらに備え，
前記ピーク検出器は，前記指標からピークを検出することを特徴とする請求項２に記載の送信機．
【請求項４】
前記選択された位相パターンの情報を変調信号にマッピングして，前記変調信号をパイロット信号に重畳する位相パターン変調器を備えることを特徴とする請求項１〜３に記載の送信機．
【請求項５】
前記パイロット信号は，全送信アンテナで同じであることを特徴とする請求項４に記載の送信機．
【請求項６】
前記パイロット信号は，送信アンテナ毎に異なることを特徴とする請求項４に記載の送信機．
【請求項７】
複数の送信アンテナを有する送信機と，前記複数の送信アンテナから送信された送信信号を受信する受信機とを備える通信システムにおいて，
前記送信機は，
複数の前記変調信号に対してそれぞれ直交するように位相パターンを用いて位相回転を施すサブキャリア位相ホッピング器と，
前記サブキャリア位相ホッピング器に対して，前記位相回転をパターン化し，複数の位相パターン候補のうち送信信号波形のピークを抑える位相パターンを選択する位相パターン制御器と，
前記選択された位相パターンを変調して送信信号に挿入する位相パターン変調器と，
を備え，
前記受信機は，
受信信号から前記位相パターンを検出する位相パターン復調器と，
検出された位相パターンに基づいて空間分割多重された信号の検出を行うサブキャリア位相ホッピングＭＩＭＯ信号検出器と，
検出されたビットを誤り訂正復号する誤り訂正復号器と，
を備えることを特徴とする通信システム．
【請求項８】
前記位相パターン制御器は，
入力された前記誤り訂正符号化されたビットから前記変調信号に対応した量子化位相を生成する量子化変調器と，
前記量子化位相に対して各位相パターンに応じた量子化された位相回転を施す量子化サブキャリア位相ホッピング器と，
サブキャリア位相ホッピング後の量子化位相に対して量子化された逆フーリエ変換により時間信号波形の電力値の指標を計算する量子化逆フーリエ変換器と，
前記指標からピークを検出するピーク検出器と，
前記ピーク検出器で検出されたピークのうちで最もピークが低い位相パターンを選択して出力するパターン選択器と，
を備えることを特徴とする請求項７に記載の通信システム．
【請求項９】
前記位相パターン変調器は，
位相パターン情報を位相パターン用変調信号にマッピングし，前記位相パターン用変調信号をパイロット信号に重畳して全送信アンテナから同じ前記パイロット信号を送信して受信機に伝送し，
前記位相パターン復調器は，
全受信アンテナにおける受信信号を最大比合成することで前記位相パターン用変調信号が重畳されたパイロット信号を検出することを特徴とする請求項７または８に記載の通信システム．
【請求項１０】
前記位相パターン変調器は，
位相パターン情報を位相パターン用変調信号にマッピングし，前記位相パターン用変調信号をパイロット信号に重畳して各送信アンテナから異なった前記パイロット信号を空間分割多重して送信し，
前記位相パターン復調器は，
全受信アンテナにおける受信信号に対してＭＩＭＯ信号検出を行うことで前記位相パターン用変調信号が重畳されたパイロット信号を検出することを特徴とする請求項７または８に記載の通信システム．
【請求項１１】
複数の送信アンテナを有する送信機と前記複数の送信アンテナから送信された送信信号を受信する受信機から構成される通信システムにおいて，
前記送信機は，
情報ビット系列を誤り訂正符号化する誤り訂正符号器と，
誤り訂正符号化されたビットをマッピングした変調信号を符号反転して合成するサブキャリアホッピング器と，
サブキャリアホッピング後の変調信号を複数のブロックに分割された変調信号に変換するブロック分割器と，
前記ブロックに分割された変調信号が時間領域に変換された信号に対してパターン化された位相回転を施す位相回転器と，
送信信号波形のピークを最も低く抑える位相パターンを選択するブロック位相パターン制御器と，
前記選択された位相パターンを変調して送信信号に挿入するブロック位相パターン変調器と，
を備え，
前記受信機は，
受信信号から前記位相パターンを検出する位相パターン復調器と，
検出されたパターンに基づいて空間分割多重された信号の検出を行うサブキャリア位相ホッピングＭＩＭＯ信号検出器と，
検出されたビットを誤り訂正復号する誤り訂正復号器とを備えることを特徴とする通信システム．
【請求項１２】
複数の送信アンテナから送信信号を送信するマルチキャリア伝送方式の送信方法において，
複数の位相パターン候補からピークが低い位相パターンを選択する手順を有し，
前記送信信号は前記位相パターンに基づいて位相ホッピングされることを特徴とする送信方法．
【請求項１３】
情報ビット系列を誤り訂正符号化して符号化ビットを生成する誤り訂符号手順と，
前記符号化ビットを変調信号にマッピングする信号点マッピング手順と，
前記変調信号に対して前記選択された位相パターンを用いて位相回転を施すサブキャリア位相ホッピング手順と，
前記符号化されたビットおよび前記位相パターン候補から求められる電力値からピークを検出するピーク検出手順と，
該ピークのうち最もピークが低い位相パターンを選択するパターン選択手順と，
を有する請求項１２に記載の送信方法．
【請求項１４】
サブキャリアホッピング後の変調信号を複数のブロックに分割された変調信号に変換するブロック分割手順と，
前記ブロックに分割された変調信号が時間領域に変換された信号に対して前記位相パターンによる位相回転を施してサブキャリア位相ホッピングを行う位相回転手順と，
送信信号波形のピークを最も低く抑える位相パターンを選択するブロック位相パターン制御手順と，
を有する請求項１２に記載の送信方法．
【手続補正２】
【補正対象書類名】明細書
【補正対象項目名】発明の名称
【補正方法】変更
【補正の内容】
【発明の名称】送信機，通信システム及び送信方法
【手続補正３】
【補正対象書類名】明細書
【補正対象項目名】０００１
【補正方法】変更
【補正の内容】
【０００１】
本発明は，信号波形ピークを低減するＭＩＭＯ−ＯＦＤＭなどに用いられる送信機，通信システム及び送信方法に関するものである．
【手続補正４】
【補正対象書類名】明細書
【補正対象項目名】０００７
【補正方法】変更
【補正の内容】
【０００７】
本発明は，このような課題に鑑みてなされたものであり，ＭＩＭＯ−ＯＦＤＭ伝送において変調信号に対して位相回転を施すことで信号波形のピークを低く抑え，その位相パターンを少ない計算量で選択ができ，また，選択した位相パターンを効率的に受信機に伝送し，さらに，伝送特性を改善できる送信機，通信システム及び送信方法を提供することを目的とする．
【手続補正５】
【補正対象書類名】明細書
【補正対象項目名】０００８
【補正方法】変更
【補正の内容】
【０００８】
本発明は，複数の送信アンテナを有するマルチキャリア伝送方式の送信機において，情報ビット系列を誤り訂正符号化して符号化ビットを生成する誤り訂正符号器と，前記符号化ビットを変調信号にマッピングする信号点マッピング器と，複数の前記変調信号に対してそれぞれ直交するように位相パターンを用いて位相回転を施すサブキャリア位相ホッピング器と，前記サブキャリア位相ホッピング器に対して，前記位相回転をパターン化し，複数の位相パターン候補のうち送信信号波形のピークを抑える位相パターンを選択する位相パターン制御器と，を備えることを特徴とするものである．
ここで，前記位相パターン制御器は，前記符号化ビットおよび前記位相パターン候補から求められる送信信号波形のピークを検出するピーク検出器と，該ピークのうち最もピークが低い位相パターンを選択するパターン選択器と，を備えることを特徴とする．
また，前記位相パターン制御器は，前記符号化ビットから前記変調信号に対応した量子化位相を生成する量子化変調器と，該量子化位相に対して各位相パターンに応じた量子化された位相回転を施す量子化サブキャリア位相ホッピング器と，位相ホッピング後の量子化位相に対して量子化された逆フーリエ変換により時間信号波形の電力値の指標を計算する量子化逆フーリエ変換器と，をさらに備え，前記ピーク検出器は，前記指標からピークを検出することを特徴とする．
また，前記選択された位相パターンの情報を変調信号にマッピングして，前記変調信号をパイロット信号に重畳する位相パターン変調器を備えることを特徴とする．前記パイロット信号は，全送信アンテナで同じであってもよいし，また，前記パイロット信号は，送信アンテナ毎に異なってもよい．
【手続補正６】
【補正対象書類名】明細書
【補正対象項目名】０００９
【補正方法】変更
【補正の内容】
【０００９】
また，本発明は，複数の送信アンテナを有する送信機と，前記複数の送信アンテナから送信された送信信号を受信する受信機とを備える通信システムにおいて，
前記送信機は，複数の前記変調信号に対してそれぞれ直交するように位相パターンを用いて位相回転を施すサブキャリア位相ホッピング器と，前記サブキャリア位相ホッピング器に対して，前記位相回転をパターン化し，複数の位相パターン候補のうち送信信号波形のピークを抑える位相パターンを選択する位相パターン制御器と，前記選択された位相パターンを変調して送信信号に挿入する位相パターン変調器と，を備え，
前記受信機は，受信信号から前記位相パターンを検出する位相パターン復調器と，検出された位相パターンに基づいて空間分割多重された信号の検出を行うサブキャリア位相ホッピングＭＩＭＯ信号検出器と，検出されたビットを誤り訂正復号する誤り訂正復号器と，を備えることを特徴とするものである．
ここで，前記位相パターン制御器は，入力された前記誤り訂正符号化されたビットから前記変調信号に対応した量子化位相を生成する量子化変調器と，前記量子化位相に対して各位相パターンに応じた量子化された位相回転を施す量子化サブキャリア位相ホッピング器と，サブキャリア位相ホッピング後の量子化位相に対して量子化された逆フーリエ変換により時間信号波形の電力値の指標を計算する量子化逆フーリエ変換器と，前記指標からピークを検出するピーク検出器と，前記ピーク検出器で検出されたピークのうちで最もピークが低い位相パターンを選択して出力するパターン選択器と，を備えることを特徴とする．
また，前記位相パターン変調器は，位相パターン情報を位相パターン用変調信号にマッピングし，前記位相パターン用変調信号をパイロット信号に重畳して全送信アンテナから同じ前記パイロット信号を送信して受信機に伝送し，前記位相パターン復調器は，全受信アンテナにおける受信信号を最大比合成することで前記位相パターン用変調信号が重畳されたパイロット信号を検出してもよい．
また，前記位相パターン変調器は，位相パターン情報を位相パターン用変調信号にマッピングし，前記位相パターン用変調信号をパイロット信号に重畳して各送信アンテナから異なった前記パイロット信号を空間分割多重して送信し，前記位相パターン復調器は，全受信アンテナにおける受信信号に対してＭＩＭＯ信号検出を行うことで前記位相パターン用変調信号が重畳されたパイロット信号を検出してもよい．
また，本発明は，複数の送信アンテナを有する送信機と前記複数の送信アンテナから送信された送信信号を受信する受信機から構成される通信システムにおいて，
前記送信機は，情報ビット系列を誤り訂正符号化する誤り訂正符号器と，誤り訂正符号化されたビットをマッピングした変調信号を符号反転して合成するサブキャリアホッピング器と，サブキャリアホッピング後の変調信号を複数のブロックに分割された変調信号に変換するブロック分割器と，前記ブロックに分割された変調信号が時間領域に変換された信号に対してパターン化された位相回転を施す位相回転器と，送信信号波形のピークを最も低く抑える位相パターンを選択するブロック位相パターン制御器と，前記選択された位相パターンを変調して送信信号に挿入するブロック位相パターン変調器と，を備え，
前記受信機は，受信信号から前記位相パターンを検出する位相パターン復調器と，検出されたパターンに基づいて空間分割多重された信号の検出を行うサブキャリア位相ホッピングＭＩＭＯ信号検出器と，検出されたビットを誤り訂正復号する誤り訂正復号器とを備えることを特徴とするものである．
また，本発明は，複数の送信アンテナから送信信号を送信するマルチキャリア伝送方式の送信方法において，複数の位相パターン候補からピークが低い位相パターンを選択する手順を有し，前記送信信号は前記位相パターンに基づいて位相ホッピングされることを特徴とするものである．
さらに，情報ビット系列を誤り訂正符号化して符号化ビットを生成する誤り訂符号手順と，前記符号化ビットを変調信号にマッピングする信号点マッピング手順と，前記変調信号に対して前記選択された位相パターンを用いて位相回転を施すサブキャリア位相ホッピング手順と，前記符号化されたビットおよび前記位相パターン候補から求められる電力値からピークを検出するピーク検出手順と，該ピークのうち最もピークが低い位相パターンを選択するパターン選択手順と，を有してもよい．
また，サブキャリアホッピング後の変調信号を複数のブロックに分割された変調信号に変換するブロック分割手順と，前記ブロックに分割された変調信号が時間領域に変換された信号に対して前記位相パターンによる位相回転を施してサブキャリア位相ホッピングを行う位相回転手順と，送信信号波形のピークを最も低く抑える位相パターンを選択するブロック位相パターン制御手順と，を有してもよい．